(57)【要約】【課題】身体の内部に活性イオンを発生させることにより、動脈硬化症・血流不完全等を原因とする様々な身体の機能障害を克服したり予防することができ、また、特定部分の筋肉の垂れ下がりを防止して、各種の血管や神経の圧迫を確実に防止できる活性イオン発生方法と活性イオン発生下着を提供する。【解決手段】本発明に係る活性イオン発生方法は、アルミニウム部材と青銅部材を身体の適所に配置し、これらの協働作用により身体の内部に活性イオンを発生させる。また、本発明に係る活性イオン発生下着は、下着が女性用のブラジャー１である場合、身体の背中部分に位置するブラジャー１のフック係止部２Ａ・フック被係止部２Ｂとしてアルミニウム部材を配置し、身体の胸部分における左右に位置する前止め部３、身体の肩甲骨部分における左右に位置する後ろ止め部４、前止め部３の上方に位置するブラジャー１のプリーツ長さ調節部５として青銅部材を配置している。【選択図】図１２
2005144161.tif 000002
【特許請求の範囲】
【請求項１】
アルミニウム部材と青銅部材を身体の適所に配置し、これらの協働作用により身体の内部に活性イオンを発生させることを特徴とした活性イオン発生方法。
【請求項２】
チップ状に形成されたアルミニウム部材と青銅部材を、粘着テープ等を用いて身体の適所に貼着した請求項１に記載の活性イオン発生方法。
【請求項３】
アルミニウム部材と青銅部材は、円形、楕円形、長円形、三角形、矩形、六角形・多角形等の枠状若しくは板状のいずれかに形成されている請求項１または２に記載の活性イオン発生方法。
【請求項４】
アルミニウム部材と青銅部材を下着の適所に配置し、これらの協働作用により身体の内部に活性イオンを発生させることを特徴とする活性イオン発生下着。
【請求項５】
下着が女性用のブラジャーである請求項４に記載の活性イオン発生下着。
【請求項６】
身体の背中部分に位置するブラジャーのフック係止部・フック被係止部としてアルミニウム部材を配置し、身体の胸部分における左右に位置する前止め部、身体の肩甲骨部分における左右に位置する後ろ止め部、前止め部の上方に位置するブラジャーのプリーツ長さ調節部として青銅部材を配置した請求項５に記載の活性イオン発生下着。
【請求項７】
身体の背中部分に位置するブラジャーのフック被係止部としてアルミニウム部材を配置し、ブラジャーのフック係止部、身体の胸部分における左右に位置する前止め部、身体の肩甲骨部分における左右に位置する後ろ止め部、前止め部の上方に位置するブラジャーのプリーツ長さ調節部として青銅部材を配置した請求項５に記載の活性イオン発生下着。
【請求項８】
ブラジャーにおいて、身体の三角筋を支持する構成を備えた請求項５乃至７のいずれかに記載の活性イオン発生下着。
【請求項９】
身体の三角筋を支持する部分は、ブラジャーにおける左右の三角形部分である請求項８に記載の活性イオン発生下着。
【請求項１０】
身体の三角筋を支持する部分に、青銅部材を配置した請求項８または９に記載の活性イオン発生下着。
【請求項１１】
ブラジャーの前止め部、後ろ止め部、プリーツ長さ調節部は、円形、楕円形、長円形、三角形、矩形、六角形・多角形等の枠状に形成されている請求項５乃至１０のいずれかに記載の活性イオン発生下着。
【請求項１２】
ブラジャーのプリーツ長さ調節部は、所定の枠状に形成され、枠の中央に水平部材を配して形成し、この水平部材は、枠部分よりも若干上方に位置している請求項５乃至１０のいずれかに記載の活性イオン発生下着。
【発明の詳細な説明】
【技術分野】
【０００１】
本発明は、身体の内部に活性イオンを発生させることにより、身体における様々な機能障害を克服したり予防するための活性イオン発生方法と活性イオン発生下着に関するものである。
【背景技術】
【０００２】
従来のブラジャー等の下着においては、例えば、止め金具等として金属製の部品が使用されている。具体的には、ブラジャーにおける身体の背中部分に位置するフック係止部とフック被係止部、身体の胸部分における左右に位置する前止め部、身体の肩甲骨部分における左右に位置する後ろ止め部、前止め部の上方に位置するプリーツ長さ調節部のそれぞれに、金属製部品が使用されている。
【特許文献１】特になし
【発明の開示】
【発明が解決しようとする課題】
【０００３】
このような、従来の女性用の下着であるブラジャーは、女性の胸の形を整えることのみを主な目的としており、身体の健康については、全く考慮されていないのが実情である。
【０００４】
例えば、動脈硬化症・血流不完全等を原因とする様々な身体の機能障害を克服したり予防する目的を有するブラジャーは、全く存在しなかった。
【０００５】
この他にも、身体についての健康を考慮すると、例えば、背中における三角筋が重力によって下方へ移動すると、鎖骨、肩甲骨が同時に下方へと引っ張られる。そのため、大胸筋よりも深部にある筋肉である小胸筋も下方へと垂れ下がり、その下方位置にある大円筋、広背筋が垂れ下がって押されて前方へ移動し、小胸筋の下側を通る腋窩動脈・腋窩静脈や上肢の末梢神経を圧迫することとなる。
【０００６】
また、三角筋が重力によって下方へ移動すると、鎖骨、肩甲骨も下方へ移動するため、肩甲舌骨筋や僧帽筋が下方に移動する。この舌骨は舌の根元にある骨格である。そして、肩甲舌骨筋が下がるとその上に乗っている舌が下がり、呼吸障害が起こる。さらに、舌には１２種ある脳神経のうち、舌咽、舌下神経が走っており、脳に直接影響が生じる。加えて、咽頭と気道の知覚を支配する脳神経の迷走神経にも悪影響を及ぼす。この迷走神経は、自律神経最大の副交感神経であり、各内蔵器への分布が多く見られるものである。
【０００７】
従来のブラジャーは、上述した腋窩動脈・腋窩静脈の圧迫防止、末梢神経の圧迫防止、呼吸障害の発生防止、迷走神経へ悪影響の防止等は全く考慮していなかったのである。
【０００８】
一方、従来においては、各金属の含有率による電子結合の変化を、数値によるデータで計測できる機器が存在せず、身体における血行の促進等が健康に影響を及ぼす度合いを、そもそも認識できなかった。
【０００９】
そこで、本発明は叙上のような従来存した諸事情に鑑み創出されたもので、身体の内部に活性イオンを発生させることにより、動脈硬化症・血流不完全等を原因とする様々な身体の機能障害を克服したり予防することができ、また、特定部分の筋肉の垂れ下がりを防止して、各種の血管や神経の圧迫を確実に防止すると共に、代替医療の一環ともなる活性イオン発生方法と活性イオン発生下着を提供することを目的とする。
【課題を解決するための手段】
【００１０】
本発明に係る活性イオン発生方法にあっては、アルミニウム部材と青銅部材を身体の適所に配置し、これらの協働作用により身体の内部に活性イオンを発生させることで、上述した課題を解決した。
【００１１】
また、チップ状に形成されたアルミニウム部材と青銅部材を、粘着テープ等を用いて身体の適所に貼着したことで、同じく上述した課題を解決した。
【００１２】
さらに、アルミニウム部材と青銅部材は、円形、楕円形、長円形、三角形、矩形、六角形・多角形等の枠状若しくは板状のいずれかに形成されていることで、同じく上述した課題を解決した。
【００１３】
一方、本発明に係る活性イオン発生下着にあっては、アルミニウム部材と青銅部材を下着の適所に配置し、これらの協働作用により身体の内部に活性イオンを発生させることで、同じく上述した課題を解決した。
【００１４】
また、下着が女性用のブラジャーであることで、同じく上述した課題を解決した。
【００１５】
さらに、身体の背中部分に位置するブラジャーのフック係止部・フック被係止部としてアルミニウム部材を配置し、身体の胸部分における左右に位置する前止め部、身体の肩甲骨部分における左右に位置する後ろ止め部、前止め部の上方に位置するブラジャーのプリーツ長さ調節部として青銅部材を配置したことで、同じく上述した課題を解決した。
【００１６】
また、身体の背中部分に位置するブラジャーのフック被係止部としてアルミニウム部材を配置し、ブラジャーのフック係止部、身体の胸部分における左右に位置する前止め部、身体の肩甲骨部分における左右に位置する後ろ止め部、前止め部の上方に位置するブラジャーのプリーツ長さ調節部として青銅部材を配置したことで、同じく上述した課題を解決した。
【００１７】
加えて、ブラジャーにおいて、身体の三角筋を支持する構成を備えたことで、同じく上述した課題を解決した。
【００１８】
また、身体の三角筋を支持する部分は、ブラジャーにおける左右の三角形部分であることで、同じく上述した課題を解決した。
【００１９】
この他、身体の三角筋を支持する部分に、青銅部材を配置したことで、同じく上述した課題を解決した。
【００２０】
また、ブラジャーの前止め部、後ろ止め部、プリーツ長さ調節部は、円形、楕円形、長円形、三角形、矩形、六角形・多角形等の枠状に形成されていることで、同じく上述した課題を解決した。
【００２１】
さらに、ブラジャーのプリーツ長さ調節部は、所定の枠状に形成され、枠の中央に水平部材を配して形成し、この水平部材は、枠部分よりも若干上方に位置していることで、同じく上述した課題を解決した。
【発明の効果】
【００２２】
本発明によれば、動脈硬化症・血流不完全等を原因とする様々な身体の機能障害を克服したり予防することができる。
【００２３】
具体的には、アルミニウム部材と青銅部材との協働作用により身体の内部に活性イオンを発生させ、例えば、血管内部の血液の単分子化を促進し、血液の粘性を無くして血液の流れを良好にし、ひいては、脳の機能を活性化させるのである。
【００２４】
また、身体の内部に起電力が発生すると、血液中の鉄分子が振動し、種々の老廃物を排出することとなり、体内における代謝が活発化する。本発明においては、種々の老廃物の排出をもたらす血液中の鉄分子の振動を広い意味でのイオン化として理解している。すなわち、身体に接触したアルミニウム部材と青銅部材の協同作用により身体の内部に起電力を発生させ、種々の老廃物の排出をもたらす血液中の鉄分子の振動という、身体の内部のイオン化を実現しているのである。
【００２５】
さらに、本発明は、身体における三角筋の垂れ下がりを確実に阻止することにより、腋窩動脈・腋窩静脈の圧迫防止、末梢神経の圧迫防止、呼吸障害の発生防止、迷走神経へ悪影響を及ぼすことの防止を図っているのである。
【発明を実施するための最良の形態】
【００２６】
以下に、本発明を実施するための最良の形態を、図面を参照して説明する。本発明に係る活性イオン発生方法は、アルミニウム部材と青銅部材を身体の適所に配置し、これらの協働作用により身体の内部に活性イオンを発生させる特性を備えている。このアルミニウム部材と青銅部材は、それぞれがチップ状に形成され、粘着テープ等により身体の適所に貼着される。また、アルミニウム部材と青銅部材は、円形、楕円形、長円形、三角形、矩形、六角形、多角形等の枠状若しくは板状のいずれかに形成されている。尚、アルミニウム部材と青銅部材は、これらに限定されず、どのような形状であっても差し支えない。
【００２７】
そして、本発明に係る活性イオン発生方法を具体的に実施するときには、チップ状に形成されたアルミニウム部材を、例えば、身体の背中部分における略中央位置に貼着する。また、チップ状に形成された青銅部材を、身体の肩甲骨部分における左右の位置、胸部分における左右で脇側に近接した位置、胸部分における上方の左右の位置にそれぞれ貼着するものである。尚、身体に貼着するアルミニウム部材と青銅部材の数や配置は、これらに限定されず、種々の好ましい選択が可能である。
【００２８】
一方、本発明に係る活性イオン発生下着は、アルミニウム部材と青銅部材を下着の適所に配置し、これらの協働作用により身体の内部に活性イオンを発生させる特性を備えている。
【００２９】
図１は、下着が女性のブラジャー１である場合の一例を示している。そして、アルミニウム部材と青銅部材を、ブラジャー１を身に付けている者の身体の適所に接触するように配置している。
【００３０】
ブラジャー１の具体的な構成は、図１に示すように、身体の背中部分に位置するブラジャー１のフック係止部２Ａ・フック被係止部２Ｂとしてアルミニウム部材を配置している。このフック係止部２Ａは、折曲した舌片状に形成され、フック被係止部２Ｂは、フック係止部２Ａと嵌合可能な環状に形成されている。また、身体の胸部分における左右に位置するブラジャー１の前止め部３、身体の肩甲骨部分における左右に位置する後ろ止め部４、前止め部３の上方に位置するブラジャー１のプリーツ長さ調節部５として青銅部材を配置している。
【００３１】
このブラジャー１は、図２（ａ）・（ｂ）に示すように、身体における三角筋の重力による垂れ下がりを防止するために、三角筋に当接するブラジャー１における左右の三角形部分に三角布６を付設してある。この三角布６は、身体の三角筋を下方向・横方向から支持するものである。図２（ａ）に示すブラジャー１は、三角布６を比較的に大きな正三角形状に形成して身体の三角筋に当接させている。図２（ｂ）に示すブラジャー１では、三角布６を直角三角形状に形成して身体の三角筋に当接させている。このブラジャー１に付設した三角布６により、身体の三角筋をサポートすることによって、筋肉の垂れ下がりを防止しているのである。また、皮膚面に接触する三角布６の裏面側には、青銅部材を配置している。
【００３２】
以下に、ブラジャー１における三角布６の機能を詳述する。
【００３３】
まず、図３に示すように、身体における橈側皮静脈は、三角筋と大胸筋の間の溝（三角胸筋溝）を通り、鎖骨胸筋三角で大胸筋の下を通り、腋窩静脈へと流入していく血管である。そして、三角筋が重力によって垂れ下がってくると、三角胸筋溝を通る橈側皮静脈が圧迫されてしまう。ブラジャー１の三角布６は、三角筋を支持してその垂れ下がりを防止し、橈側皮静脈の圧迫を防いでいるのである。
【００３４】
また、図４に示すように、身体の背面においては、重力によって垂れ下がった三角筋により、その下方にある大円筋や広背筋が垂れ下がると共に、押されて前方へ移動する。ブラジャー１の三角布６は、三角筋の垂れ下がりを防止し、大円筋や広背筋の垂れ下がりと前方への移動を防いでいるのである。
【００３５】
さらに、図５に示すように、身体の側面においては、三角筋が重力により垂れ下がることによって、矢印の方向に筋肉が移動する。
【００３６】
そこで、図６に示すように、ブラジャー１の三角布６により三角筋の垂れ下がりを防止し、筋肉の不自然な移動を阻止しているのである。
【００３７】
一方、図７に示すように、小胸筋は、大胸筋よりも深部にある筋肉である。三角筋が重力によって下方へ移動すると、図８に示すように、鎖骨、肩甲骨が同時に下方へと引っ張られ、その結果、小胸筋も矢印の方向へ下がる。そして、小胸筋の下を通る腋窩動脈や腋窩静脈、上肢の末梢神経が圧迫されてしまう。ブラジャー１の三角布６は、三角筋の垂れ下がりを防止し、腋窩動脈や腋窩動脈、上肢の末梢神経が圧迫されることを防いでいるのである。
【００３８】
また、図９に示すように、鎖骨、肩甲骨の下方への移動に伴い、肩甲舌骨筋や僧帽筋が下方に移動する。この舌骨は舌の根元にある骨格である。そして、図１０に示すように、肩甲舌骨筋が下がるとその上に乗っている舌が下がり、呼吸障害が起こる。さらに、舌には１２種ある脳神経のうち、舌咽、舌下神経が走っており、脳に直接影響が生じる。加えて、咽頭と気道の知覚を支配する脳神経の迷走神経にも悪影響を及ぼす。この迷走神経は、自律神経最大の副交感神経であり、各内蔵器への分布が多く見られるものである。ブラジャー１の三角布６は、三角筋の垂れ下がりを防止することで、呼吸障害の発生を防ぎ、また、各種の脳神経・迷走神経へ悪影響を及ぼすことも防いでいるのである。
【００３９】
これらの事実をまとめると、以下のようになる。
【００４０】
ブラジャー１の三角布６により身体の三角筋を支持して、三角筋にかかる重力を軽減させ、その垂れ下がりを防ぐ→肩甲骨、鎖骨に起こる筋肉の下方移動を止める→舌の落ち込みを防止する→呼吸機能を維持し、脳の正常化を図る→自律神経及び末梢神経の正常化を図る→体内臓器の活性化を図る→その結果、体内における代謝の維持・増進が図れる→最終的に、健康の維持、疲労回復等の効果が十分に発揮される。
【００４１】
一方、ブラジャー１の前止め部３は、図１・図２に示すように、ブラジャー１の左右のカップ部７をプリーツ部（８，９）により吊り上げて両肩に掛けるため、両カップ部７の上方で、身体の脇側に近接した位置に接触するように配置される。この前止め部３は、図１に示すように、略六角形の枠状に形成されている。また、後ろ止め部４は、プリーツ部９の後端側で、身体の肩甲骨部分における左右の位置に接触するように配置される。この後ろ止め部４は、略直角三角形の枠状に形成されている。さらに、プリーツ部（８，９）の途中に位置し、前止め部３の上方に配置されるプリーツ長さ調節部５は、略六角形の枠状で、中央に水平部材１０が配されており、プリーツ部（８，９）の長さを調節可能な２つの空間を備えている。これらの、前止め部３、後ろ止め部４、プリーツ長さ調節部５の枠、プリーツ長さ調節部５の水平部材１０は、いずれも所定の太さを備えた棒状に形成されている。尚、プリーツ部（８，９）は、プリーツ長さ調節部５を介してその長さを調節できるものであれば、一本の帯、２本の帯のいずれであっても差し支えない。
【００４２】
ブラジャー１の前止め部３の構成部分は、例えば、図１１に示すように、銅９５％、亜鉛３．５％、錫１．５％の青銅を用いて形成されている。
【００４３】
また、後ろ止め部材４は、銅９５％、亜鉛３．５％、錫１．５％の青銅を用いて形成されている。
【００４４】
さらに、プリーツ長さ調節部５は、銅９５％、亜鉛３．５％、錫１．５％の青銅を用いて形成されている。
【００４５】
また、フック係止部２Ａとフック被係止部２Ｂは、アルミニウム１００％を用いて形成されている。
【００４６】
次に、ブラジャー１におけるプリーツ長さ調節部５の他の形状を説明する。
【００４７】
このプリーツ長さ調節部５は、図１２・図１３に示すように、全体で略四角形の板枠１１を形成し、板枠１１の中央に水平部材１０が配されている。この水平部材１０の存在により、板枠１１内の水平方向に２つの空間が形成されている。水平部材１０は、図１３に示すように、所定の幅を備えた板状に形成され、その両端部に配された傾斜状板片１２を介して板枠１１に固定されている。従って、水平部材１０は、板枠１１よりも若干上方に位置し、図１２に示すように、板枠１１の上面と水平部材１０の下面との間に空間が形成されている。
【００４８】
以下に、プリーツ長さ調節部５とプリーツ部（８，９）の係合状態の一例を、図１４を参照して説明する。尚、図面上、プリーツ部（８，９）は、一本の帯であるが、プリーツ長さ調節部５を介して別の符号である８，９を付して説明する。
【００４９】
まず、図１４（ａ）に示すように、プリーツ部９の先端部分をプリーツ長さ調節部５の水平部材１０に巻回して固定し、ブラジャー１の後ろ止め部４を通して折り返す。また、折り返したプリーツ部９は、プリーツ長さ調節部５の水平部材１０における下面方向に位置しつつ、プリーツ長さ調節部５の２つの空間を、板枠１１の上面方向に位置しながら通過させる。プリーツ長さ調節部５を通過したプリーツ部８は、ブラジャー１の前止め部３に固定する。
【００５０】
このように、プリーツ部（８，９）をプリーツ長さ調節部５に通過させることにより、プリーツ長さ調節部５を裏面側から見た図６（ｂ）に示すように、板枠１１の下面側にプリーツ部（８，９）が位置することがない。そのため、板枠１１の下面がブラジャー１を身に付けている者の皮膚に確実に接触し、本発明による活性イオンの発生効果を高めている。また、プリーツ長さ調節部５の板枠１１は、水平部材１０の両端部近傍が若干外側に突出して略三角形状に形成され、ブラジャー１を身に付けている者の皮膚への接触面積を大きく確保することで、活性イオンの発生効果をより高めている。
【００５１】
本発明に係る活性イオン発生下着であるブラジャー１を身に付けると、フック係止部２Ａ、フック被係止部２Ｂのそれぞれに使用されているアルミニウム部材が、掛止している状態で身体の背中部分における略中央位置に接触するように配置される。また、後ろ止め部４に使用されている青銅部材は、肩甲骨部分における左右の位置に接触するように配置される。さらに、前止め部３に使用されている青銅部材は、胸部分における左右で脇側に近接した位置に接触するように配置される。加えて、プリーツ長さ調節部５に使用されている青銅部材は、胸部分における上方の左右の位置に接触するように配置される。
【００５２】
また、ブラジャー１における左右の三角形部分の三角布６に配設してある青銅部材は、ブラジャー１を身に付けている者の三角筋に接触する。この三角布６の部分は、身体の三角筋が重力により垂れ下がるのを防止すると共に、フック係止部２Ａ、フック被係止部２Ｂのそれぞれに使用されているアルミニウム部材、他の青銅部材との協働作用により身体の内部に活性イオンを発生させるものである。
【００５３】
このように、ブラジャー１を身に付けると、アルミニウム部材と青銅部材との協働作用により身体の内部に活性イオンを発生させ、例えば、血管内部の血液の単分子化を促進し、血液の粘性を無くして血液の流れを良好にし、ひいては、脳の機能を活性化させる一方、動脈硬化症・血流不完全等を原因とする様々な身体の機能障害を克服したり予防することができるのである。
【００５４】
この他、ブラジャー１の他の形態として、身体の背中部分に位置するブラジャー１のフック被係止部２Ｂとしてアルミニウム部材を配置し、ブラジャー１のフック係止部２Ａとして青銅部材を配置してもよい。また、ブラジャー１のフック係止部２Ａとしてアルミニウム部材を配置し、フック被係止部２Ｂとして青銅部材を配置してもよい。さらに、本発明に用いる青銅部材の代わりに、純粋な銅部材を使用してもよい。尚、アルミニウム部材と青銅部材の数や配置は、これらに限定されず、種々の好ましい選択が可能である。
【００５５】
以下に、アルミニウム部材と青銅部材との協働作用、すなわち、アルミニウムと銅との電位差による起電力の発生メカニズムについて説明する。
【００５６】
起電力の発生メカニズムは、簡単にいうと、身体を食塩水とみなし、全身を電池化することにより、アルミニウムと銅を使用して起電力が発生する機構である。すなわち、身体を流れる電流は、アルミニウムと銅との電極金属で決まる電圧に比例し、身体の抵抗に逆比例する。身体の抵抗が大きくなれば、身体に流れる電流は小さくなる。言い換えると、負荷にかかる電位差が小さくなる。
【００５７】
身体抵抗を小さく抑えるためには支持電解質である塩が加えられ、塩のナトリウムイオンを触媒として機能させるのである。このときの反応速度は、一価金属であるナトリウムイオンと、電子との結合によりナトリウム分子ができる速度によって決定される。ところが、支持電解質が反応中間体と相互作用して安定化してしまうと、その先の反応が進行しにくくなり、逆に負の触媒として作用してしまう。
【００５８】
また、支持電解質が先に電荷を受け取り、その後、目的の反応物に電荷が受け渡されるという現象もある。この反応は、支持電解質と反応物の相性が電極と反応物のそれよりも優れている場合に起こる。例えば、酵素を金属電極上で反応させるのは至難の業であるが、間に電極とも酵素とも仲のいい物質、すなわち、メデイエータを介在させると反応は円滑に進行する。
【００５９】
生体電流において、電荷がプラス／マイナスのどちらか一方に片寄って存在することのないように、イオンが移動するというのが重要な原理である。この電流の大きさは、電極から身体の内部に単位時間当たりどれだけの電荷が放出されるかということを表し、これは電極表面での反応速度である。すなわち、電気化学反応においては、体内の電流値を測定することで反応速度を求めることができることを意味する。例えば、塩化ナトリウムを身体に通電すると、水素と塩素が発生する。つまり、ナトリウムイオンと塩素イオンのうち塩素イオンのみが反応する。これは、水や水酸化物イオンよりも塩素イオンの方が反応し易いからである。ナトリウムイオンが反応しないというのは、水と比べて圧倒的に反応性が低いからである。
【００６０】
身体の内部では、金属中における自由電子の役割をイオンが担っており、イオンが少なければ自由電子が少ないのと同じで電流が流れにくくなる一方、イオンが多ければ衝突的な移動が発生する。このように電池や電気分解でイオンの移動がおこるのであるが、例えば、電池の放電中は絶えず身体中にも電荷の移動が起こっている。電気分解についても、身体の内部を電荷が、つまりイオンが移動することが必要である。
【００６１】
生体電流の導電体は血液の中に含まれるイオン電解質である。このイオン電解質は、電解質の溶質である血漿中に含まれるナトリウムイオン、塩素イオン、カリウムイオン等のイオンと、赤血球中のヘム鉄との２種類のカテゴリーに分けられる。さらに、生体電流の移動の重要なポイントは血管系であり、身体の内部には、動脈血管と静脈血管とのネットワークが形成されている。特に、静脈系は血管の径が太いため、良質な導電体となる。上記した、アルミニウムと銅とによって生じる電流は、動静脈のネットワーク、特に静脈を介して伝播される。しかも、赤血球の移動も電子の移動を促進する。この電流に加えて重要なことは、電流に付随して発生する磁界である。
【００６２】
以上に述べたように、身体の内部に起電力が発生すると、血液中の鉄分子が振動し、種々の老廃物を排出することとなり、体内における代謝が活発化する。本発明においては、種々の老廃物の排出をもたらす血液中の鉄分子の振動を広い意味でのイオン化として理解している。すなわち、身体に接触したアルミニウム部材と青銅部材の協同作用により身体の内部に起電力を発生させ、種々の老廃物の排出をもたらす血液中の鉄分子の振動という、身体の内部のイオン化を実現しているのである。
【産業上の利用可能性】
【００６３】
本発明は、身体に身に付ける下着類に利用することの他に、各種の医療機器の開発にも応用でき、ひいては、手術等を不要とする健康な身体を造り上げることに役立つものである。また、血行の促進等が健康に影響を及ぼす度合いを確認できる健康機器の作製の手助けともなる。
【図面の簡単な説明】
【００６４】
【図１】活性イオン発生下着の一例であり、下着が女性のブラジャーである場合の構成を示した斜視図である。
【図２】女性がブラジャーを身に付けている使用状態であり、（ａ）は比較的に大きく形成された三角布が身体の三角筋を支持している状態の側面図、（ｂ）は比較的に小さく形成された三角布が身体の三角筋を支持している状態の側面図である。
【図３】身体における三角筋の移動を説明した正面図である。
【図４】身体における三角筋の移動を説明した正面図である。
【図５】身体における三角筋の移動を説明した側面図である。
【図６】三角布が身体の三角筋を支持している状態を説明した側面図である。
【図７】身体の小胸筋の位置を示した正面図である。
【図８】身体における三角筋・小胸筋の移動を説明した正面図である。
【図９】身体における僧帽筋等の配置を説明した側面図である。
【図１０】身体における肩甲舌骨筋等の移動を説明した側面図である。
【図１１】ブラジャーに配置した前止め部、後ろ止め部、プリーツ長さ調節部の構成成分を示した説明図である。
【図１２】ブラジャーの他の構成を示した斜視図である。
【図１３】プリーツ長さ調節部の形状を示した斜視図である。
【図１４】プリーツ部とプリーツ長さ調節部の係合状態を示したもので、（ａ）は側面図、（ｂ）は背面図である。
【符号の説明】
【００６５】
１…ブラジャー
２Ａ…フック係止部            ２Ｂ…フック被係止部
３…前止め部                  ４…後ろ止め部
５…プリーツ長さ調節部        ６…三角布
７…カップ部                  ８…プリーツ部
９…プリーツ部              １０…水平部材
１１…板枠                    １２…傾斜状板片
【図１】
2005144161.tif 000003
【図２】
2005144161.tif 000004
【図３】
2005144161.tif 000005
【図４】
2005144161.tif 000006
【図５】
2005144161.tif 000007
【図６】
2005144161.tif 000008
【図７】
2005144161.tif 000009
【図８】
2005144161.tif 000010
【図９】
2005144161.tif 000011
【図１０】
2005144161.tif 000012
【図１１】
2005144161.tif 000013
【図１２】
2005144161.tif 000014
【図１３】
2005144161.tif 000015
【図１４】
2005144161.tif 000016